(57)【要約】【課題】カードレスでのポイントサービスを実現するとともに、商品販売に関わる作業の増加を防止する。【解決手段】ユーザによる店舗側端末システム１０Ａ〜１０Ｃのポイントサービス用端末１２への認証番号の入力に基づき、商品の購入に応じたポイントの累積、又は累積ポイントの利用が行われるようにした。また、商品の販売毎に、商品に付されたＩＣタグに記録されているキャッシュバック元情報のアクセス情報に基づき、いずれかのメーカ側サーバ２０Ａ〜２０Ｃへのアクセスが行われ、少なくとも商品の価格情報と店舗情報とがいずれかのメーカ側サーバ２０Ａ〜２０Ｃで管理されるようにした。【選択図】図１
2007299177.tif 000002
【特許請求の範囲】
【請求項１】
累積ポイントに応じて商品の価格の値引きを行うキャッシュバック決済システムであって、
通信回線に接続される店舗側端末システムと、
前記通信回線に接続されるメーカ側サーバとを備え、
前記店舗側端末システムは、
商品に付された記録媒体から少なくとも商品の価格情報と、前記メーカ側サーバのアクセス情報と、店舗情報とを含むキャッシュバック元情報を読み取る読取装置と、
少なくとも商品購入者毎に与えられる認証番号と前記店舗情報とに対応する商品購入に応じた累積ポイントの情報が、前記アクセス情報に基づいた前記メーカ側サーバのＷｅｂページで表示され、前記累積ポイントの利用時に商品購入者からの前記認証番号の入力を受け付けるポイントサービス用端末とを有し、
前記メーカ側サーバは、
前記アクセス情報に基づいたアクセスに応じて前記Ｗｅｂページを表示させるアクセス受付手段と、
前記商品購入者毎に与えた認証番号を管理する認証番号管理手段と、
前記ポイントサービス用端末で入力された認証番号が前記認証番号管理手段で管理されている番号であるか否かの確認を行う認証番号確認手段と、
該認証番号確認手段により管理されている番号であると確認されると、前記入力された認証番号と前記キャッシュバック元情報の店舗情報に対応させ、前記キャッシュバック元情報の価格情報に応じたポイントを累積して記憶する記憶手段とを有し、
前記商品購入者が前記ポイントサービス用端末に認証番号を入力することで、商品の購入に応じたポイントの累積、又は前記累積ポイントの利用が行われる
ことを特徴とするキャッシュバック決済システム。
【請求項２】
前記通信回線に接続されるバンクサーバを備え、
前記メーカ側サーバは、前記累積ポイントが利用されると、その利用されたポイント数に応じるキャッシュバック分をキャッシュバック情報として取得し、そのキャッシュバック情報を前記店舗情報に該当する店舗側端末システムに与えるキャッシュバック情報取得手段を有し、
前記店舗側端末システムは、
前記累積ポイントの利用に応じて商品の価格の値引き処理を行うポイント決済手段と、
前記バンクサーバにアクセスし、前記キャッシュバック情報に応じたキャッシュバック分の決済処理を行うキャッシュバック決済処理手段とを有する
ことを特徴とする請求項１に記載のキャッシュバック決済システム。
【請求項３】
累積ポイントに応じて商品の価格の値引きを行うキャッシュバック決済方法であって、
メーカ側サーバに通信回線に接続される店舗側端末システムは、
商品に付された記録媒体から少なくとも商品の価格情報と、前記メーカ側サーバのアクセス情報と、店舗情報とを含むキャッシュバック元情報を読み取るステップと、
少なくとも商品購入者毎に与えられる認証番号と前記店舗情報とに対応する商品購入に応じた累積ポイントの情報が、前記アクセス情報に基づいた前記メーカ側サーバのＷｅｂページで表示され、前記累積ポイントの利用時に商品購入者からの前記認証番号の入力を受け付けるステップとを有し、
前記メーカ側サーバは、
前記アクセス情報に基づいたアクセスに応じて前記Ｗｅｂページを表示させるステップと、
前記商品購入者毎に与えた認証番号を管理するステップと、
前記入力された認証番号が前記管理されている番号であるか否かの確認を行うステップと、
管理されている番号であると確認されると、前記入力された認証番号と前記キャッシュバック元情報の店舗情報に対応させ、前記キャッシュバック元情報の価格情報に応じたポイントを累積して記憶するステップとを有し、
前記商品購入者による前記認証番号の入力に基づき、商品の購入に応じたポイントの累積、又は前記累積ポイントの利用が行われる
ことを特徴とするキャッシュバック決済方法。
【発明の詳細な説明】
【技術分野】
【０００１】
本発明は、商品購入に応じてキャッシュバック決済を行うキャッシュバック決済システム及びキャッシュバック決済方法に関する。
【背景技術】
【０００２】
従来より、商店や飲食店等では、顧客の囲い込み等を図るために、商品の購入金額や飲食代金等に応じてポイントが付与されるポイントカードやスタンプカード等を顧客に配布している。これらのポイントカードやスタンプカード等は、ある一定のポイントやスタンプが貯まると、商品代金や飲食代金の割引、あるいはポイントカードやスタンプカード等を配布した商店や飲食店等で使用できる金券との交換、さらには景品との交換ができる。
【０００３】
また、ポイントカードにあっては、ポイントが累積して記憶されるために、繰り返し利用可能とされる、磁気カードやＩＣカード等が用いられることが多い。また、スタンプカードにあっては、ゴム印等によってスタンプが付されるような紙製のカード等が用いられることが多い。
【０００４】
ところで、これらのポイントカードやスタンプカードは、顧客が個々に保持管理するものであるため、紛失したりすると、今まで貯めておいたポイントやスタンプを利用できなくなってしまう。中には、ポイントカードの再発行が行われる場合もあるが、再発行が行われるポイントカードでは、再発行手数料がかかる場合が多く見受けられる。
【０００５】
ポイントカードを用いずに、ポイントサービスを受けられるものとして、特許文献１では、携帯電話に個人識別情報、店舗署名及びポイント情報が構造型文書形式により記載された第１のポイントデータを蓄積し、店舗端末により携帯電話に蓄積された第１のポイントデータを取り出し、その第１のポイントデータに店舗署名が記載されている時には、ポイント情報に基づいてポイントサービスを行うようにしたポイントサービスシステムを提案している。
【特許文献１】特開２００４−１２７０８９号公報
【発明の開示】
【発明が解決しようとする課題】
【０００６】
上述した特許文献１のように、携帯電話に個人識別情報、店舗署名及びポイント情報が記憶されるようにすることで、ポイントカードを携帯することなくポイントサービスを受けることができ、ポイントカードやスタンプカードの紛失等による上述した不具合を解消することができるものと考えられる。
【０００７】
ところが、特許文献１では、個人識別情報、店舗署名及びポイント情報を携帯電話に記憶させるものであるため、携帯電話を携帯し忘れた場合にポイントサービスを受けることができないという問題があった。
【０００８】
また、携帯電話を携帯していても、電池切れが生じると、同様に、ポイントサービスを受けることができないという問題があった。
【０００９】
また、個人識別情報、店舗署名及びポイント情報は、携帯電話に記憶されるため、携帯電話を所有していない客はポイントサービスを受けることができないという問題があった。
【００１０】
一方、店舗側では、キャッシュバックキャンペーン等において、たとえばメーカからの利用ポイント数に応じたキャッシュバック分を受け取る場合、顧客の携帯電話から受け取った情報を管理し、ある一定期間後にたとえばメーカに報告する等の作業が必要となるため、商品販売に関わる作業が増えてしまうという問題があった。
【００１１】
本発明は、このような状況に鑑みてなされたものであり、上記問題点を解決することができるキャッシュバック決済システム及びキャッシュバック決済方法を提供することを目的とする。
【課題を解決するための手段】
【００１２】
本発明のキャッシュバック決済システムは、累積ポイントに応じて商品の価格の値引きを行うキャッシュバック決済システムであって、通信回線に接続される店舗側端末システムと、前記通信回線に接続されるメーカ側サーバとを備え、前記店舗側端末システムは、商品に付された記録媒体から少なくとも商品の価格情報と、前記メーカ側サーバのアクセス情報と、店舗情報とを含むキャッシュバック元情報を読み取る読取装置と、少なくとも商品購入者毎に与えられる認証番号と前記店舗情報とに対応する商品購入に応じた累積ポイントの情報が、前記アクセス情報に基づいた前記メーカ側サーバのＷｅｂページで表示され、前記累積ポイントの利用時に商品購入者からの前記認証番号の入力を受け付けるポイントサービス用端末とを有し、前記メーカ側サーバは、前記アクセス情報に基づいたアクセスに応じて前記Ｗｅｂページを表示させるアクセス受付手段と、前記商品購入者毎に与えた認証番号を管理する認証番号管理手段と、前記ポイントサービス用端末で入力された認証番号が前記認証番号管理手段で管理されている番号であるか否かの確認を行う認証番号確認手段と、該認証番号確認手段により管理されている番号であると確認されると、前記入力された認証番号と前記キャッシュバック元情報の店舗情報に対応させ、前記キャッシュバック元情報の価格情報に応じたポイントを累積して記憶する記憶手段とを有し、前記商品購入者が前記ポイントサービス用端末に認証番号を入力することで、商品の購入に応じたポイントの累積、又は前記累積ポイントの利用が行われることを特徴とする。
また、前記通信回線に接続されるバンクサーバを備え、前記メーカ側サーバは、前記累積ポイントが利用されると、その利用されたポイント数に応じるキャッシュバック分をキャッシュバック情報として取得し、そのキャッシュバック情報を前記店舗情報に該当する店舗側端末システムに与えるキャッシュバック情報取得手段を有し、前記店舗側端末システムは、前記累積ポイントの利用に応じて商品の価格の値引き処理を行うポイント決済手段と、前記バンクサーバにアクセスし、前記キャッシュバック情報に応じたキャッシュバック分の決済処理を行うキャッシュバック決済処理手段とを有するようにすることができる。
本発明のキャッシュバック決済方法は、累積ポイントに応じて商品の価格の値引きを行うキャッシュバック決済方法であって、メーカ側サーバに通信回線に接続される店舗側端末システムは、商品に付された記録媒体から少なくとも商品の価格情報と、前記メーカ側サーバのアクセス情報と、店舗情報とを含むキャッシュバック元情報を読み取るステップと、少なくとも商品購入者毎に与えられる認証番号と前記店舗情報とに対応する商品購入に応じた累積ポイントの情報が、前記アクセス情報に基づいた前記メーカ側サーバのＷｅｂページで表示され、前記累積ポイントの利用時に商品購入者からの前記認証番号の入力を受け付けるステップとを有し、前記メーカ側サーバは、前記アクセス情報に基づいたアクセスに応じて前記Ｗｅｂページを表示させるステップと、前記商品購入者毎に与えた認証番号を管理するステップと、前記入力された認証番号が前記管理されている番号であるか否かの確認を行うステップと、管理されている番号であると確認されると、前記入力された認証番号と前記キャッシュバック元情報の店舗情報に対応させ、前記キャッシュバック元情報の価格情報に応じたポイントを累積して記憶するステップとを有し、前記商品購入者による前記認証番号の入力に基づき、商品の購入に応じたポイントの累積、又は前記累積ポイントの利用が行われることを特徴とする。
本発明のキャッシュバック決済システム及びキャッシュバック決済方法では、店舗側端末システムにより、商品に付された記録媒体から少なくとも商品の価格情報と、メーカ側サーバのアクセス情報と、店舗情報とを含むキャッシュバック元情報が読み取られ、少なくとも商品購入者毎に与えられる認証番号と店舗情報とに対応する商品購入に応じた累積ポイントの情報が、アクセス情報に基づいたメーカ側サーバのＷｅｂページで表示され、累積ポイントの利用時に商品購入者からの認証番号の入力が受け付けられ、メーカ側サーバにより、入力された認証番号が管理されている番号であるか否かの確認が行われ、管理されている番号であると確認されると、入力された認証番号とキャッシュバック元情報の店舗情報に対応させ、キャッシュバック元情報の価格情報に応じたポイントが累積して記憶され、商品購入者による認証番号の入力に基づき、商品の購入に応じたポイントの累積、又は累積ポイントの利用が行われる。
【発明の効果】
【００１３】
本発明のキャッシュバック決済システム及びキャッシュバック決済方法よれば、商品購入者による認証番号の入力に基づき、商品の購入に応じたポイントの累積、又は累積ポイントの利用が行われるので、ポイント情報等が記憶されるポイントカードを用いない、カードレスでのポイントサービスを実現することができる。また、商品の販売毎に、商品に付された記録媒体に記録されているキャッシュバック元情報のアクセス情報に基づき、メーカ側サーバへのアクセスが行われ、少なくとも商品の価格情報と店舗情報とがメーカ側サーバで管理されるため、店舗側では、キャッシュバックキャンペーン等において、たとえばメーカからの利用ポイント数に応じたキャッシュバック分を受け取る場合のメーカへの報告等の作業が不要となり、商品販売に関わる作業が増えてしまうということを防止することができる。
【発明を実施するための最良の形態】
【００１４】
本実施形態では、商品購入者によるポイントサービス用端末への認証番号の入力に基づき、商品の購入に応じたポイントの累積、又は累積ポイントの利用が行われるようにし、ポイント情報等が記憶されるポイントカードを用いない、カードレスでのポイントサービスを実現できるようにした。また、商品の販売毎に、商品に付された記録媒体に記録されているキャッシュバック元情報のアクセス情報に基づき、メーカ側サーバへのアクセスが行われ、少なくとも商品の価格情報と店舗情報とがメーカ側サーバで管理されるようにし、店舗側では、キャッシュバックキャンペーン等において、たとえばメーカからの利用ポイント数に応じたキャッシュバック分を受け取る場合のメーカへの報告等の作業を不要とし、商品販売に関わる作業が増えてしまうということを防止するようにした。
【実施例】
【００１５】
以下、本発明の実施例について説明する。図１は、本発明のキャッシュバック決済システムの一実施例を示す図である。同図に示すように、キャッシュバック決済システムは、店舗側端末システム１０Ａ〜１０Ｃと、メーカ側サーバ２０Ａ〜２０Ｃと、インターネットバンクサーバ３０とを備えている。また、店舗側端末システム１０Ａ〜１０Ｃと、メーカ側サーバ２０Ａ〜２０Ｃと、インターネットバンクサーバ３０とは、通信回線であるインターネット４０を介して接続されている。
【００１６】
店舗側端末システム１０Ａ〜１０Ｃは、店舗Ａ〜Ｃのそれぞれのレジに設置されているものであり、ＰＯＳシステム１１とポイントサービス用端末１２とを備えている。
【００１７】
ＰＯＳシステム１１は、店舗側のスタッフが使用するものであって、店舗で商品を販売する毎に商品の販売情報を記録し、集計結果を在庫管理やマーケティング材料として用いるものであり、少なくとも読取装置１３と表示部１４とを有している。ＰＯＳシステム１１は、インターネットバンクサーバ３０に常時接続されている。なお、ＰＯＳシステム１１は、通常、専用回線等を介して本部の端末に接続され、読取装置１３によって読み取られた商品情報等が本部の端末に送信されるようになっている場合があるが、ここではその図示を省略するものとする。
【００１８】
読取装置１３は、後述の商品５０に貼着されているバーコード５１やＩＣタグ５２のキャッシュバック元情報を読み取るものである。表示部１４は、読取装置１３によって読み取られた商品情報等を表示する。
【００１９】
ポイントサービス用端末１２は、後述の商品５０を購入する商品購入者であるユーザが使用するものであって、キャッシュバック決済システムによるポイントサービスを利用する際に必要となる認証番号の取得や、累積ポイントを使用する場合の認証番号の入力を行う場合等に用いられるものであり、少なくとも表示部１２ａを有している。この表示部１２ａは、たとえばタッチパネル式となっており、少なくともユーザによる認証番号の取得と認証番号の入力とが受け付けられるようになっている。
【００２０】
図２は、商品を説明するための図である。同図に示すように、商品５０には、バーコード５１と、記録媒体としてのＩＣタグ５２とが貼着されている。バーコード５１には、商品５０の売り上げ管理等に用いられるコード情報が記載されている。ＩＣタグ５２のＩＣチップ５２ａには、キャッシュバック元情報として、少なくとも商品５０の価格情報と、いずれかのメーカ側サーバ２０Ａ〜２０Ｃへのアクセス情報（ＵＲＬ等）と、店舗Ａ〜Ｃを識別するための店舗情報とが記憶されている。
【００２１】
図３は、ＰＯＳシステム１１の内部構成を説明するための図である。同図に示すように、ＰＯＳシステム１１は、読取駆動部１１ａ、読取情報処理部１１ｂ、アクセス部１１ｃ、ＲＯＭ１１ｄ、ＲＡＭ１１ｅ、スピーカ駆動部１１ｆ、表示駆動部１１ｇ、情報送受信部１１ｈ、ポイント決済部１１ｉ、キャッシュバック決済処理部１１ｊ、ＣＰＵ１１ｋを有している。
【００２２】
読取駆動部１１ａは、読取装置１３に対しバーコード５１のコード情報を読み取らせるように駆動させる。また、読取駆動部１１ａは、読取装置１３に対してＩＣタグ５２のＩＣチップ５２ａに記憶されているキャッシュバック元情報を読み取るための信号を送信させ、さらにＩＣタグ５２のＩＣチップ５２ａからの返信信号を受け取るように駆動させる。
【００２３】
読取情報処理部１１ｂは、読取装置１３によって読み取られたバーコード５１のコード情報を処理し、表示部１４の表示信号とする。また、読取情報処理部１１ｂは、読取装置１３によって読み取られたＩＣタグ５２からの信号を処理し、キャッシュバック元情報である、少なくとも商品５０の価格情報と、いずれかのメーカ側サーバ２０Ａ〜２０Ｃへのアクセス情報（ＵＲＬ等）と、店舗Ａ〜Ｃを識別するための店舗情報とを得る。
【００２４】
アクセス部１１ｃは、読取情報処理部１１ｂによって得られたアクセス情報（ＵＲＬ等）を基に、該当するいずれかのメーカ側サーバ２０Ａ〜２０Ｃへのアクセスを行う。
【００２５】
ＲＯＭ１１ｄには、少なくともＣＰＵ１１ｋによる制御に必要な制御プログラムが格納されている。ＲＡＭ１１ｅには、読取装置１３によって読み取られたバーコード５１のコード情報や、ＩＣチップ５２ａから読み取られたキャッシュバック元情報等が記憶される。
【００２６】
スピーカ駆動部１１ｆは、ＣＰＵ１１ｋによる制御により、たとえば読取装置１３による読み取りが正常に行われた場合の確認音等をスピーカ１５から出力させる。また、スピーカ駆動部１１ｆは、ＣＰＵ１１ｋによる制御により、たとえば読取装置１３による読み取りが正常に行われなかった場合のエラー音等をスピーカ１５から出力させる。
【００２７】
表示駆動部１１ｇは、読取情報処理部１１ｂによって処理された表示信号を基に、表示部１４に商品５０の価格等を表示させる。
【００２８】
情報送受信部１１ｈは、アクセス部１１ｃによるいずれかのメーカ側サーバ２０Ａ〜２０Ｃへのアクセスに応じてポイントサービス用端末１２に、後述の図４に示すようなポイントサービス利用開始ページ１６、認証番号選択ページ１７、ポイント決済ページ１８等を表示させるための情報を送信する。また、情報送受信部１１ｈは、ポイントサービス用端末１２に表示された情報のうち、少なくとも後述の累積ポイントの情報を受け取る。
【００２９】
ポイント決済部１１ｉは、情報送受信部１１ｈによって受け取られた累積ポイントの情報を基に、表示部１４に表示されている表示金額の値引き処理を行う。
【００３０】
キャッシュバック決済処理部１１ｊは、アクセス部１１ｃを介していずれかのメーカ側サーバ２０Ａ〜２０Ｃからのキャッシュバック情報を取得し、さらにアクセス部１１ｃを介してインターネットバンクサーバ３０でのキャッシュバック情報に応じたキャッシュバック分の決済処理を行う。
【００３１】
ＣＰＵ１１ｋは、ＲＯＭ１１ｄに格納されている制御プログラムに基づいて各部の動作を制御する。ＣＰＵ１１ｋによる主な制御としては、読取駆動部１１ａを制御し、バーコード５１のコード情報を読み取りと、その読み取ったコード情報の受け取りとを行わせたり、ＩＣタグ５２のＩＣチップ５２ａに記憶されている情報を読み取るための信号の送信と、ＩＣタグ５２のＩＣチップ５２ａからの返信信号を受け取らせることである。
【００３２】
また、ＣＰＵ１１ｋによる主な制御としては、読取情報処理部１１ｂに対し、読取装置１３によって読み取られたバーコード５１のコード情報の処理と、読取装置１３によって受け取られたＩＣタグ５２のＩＣチップ５２ａからの信号を処理し、少なくとも商品５０の価格情報と、いずれかのメーカ側サーバ２０Ａ〜２０Ｃへのアクセス情報（ＵＲＬ等）と、店舗Ａ〜Ｃを識別するための店舗情報とを得るようにすることである。
【００３３】
また、ＣＰＵ１１ｋによる主な制御としては、アクセス部１１ｃに対し、読取情報処理部１１ｂによって得られたアクセス情報（ＵＲＬ等）を基に、該当するいずれかのメーカ側サーバ２０Ａ〜２０Ｃへのアクセスを行わせることである。
【００３４】
また、ＣＰＵ１１ｋによる主な制御としては、ポイント決済部１１ｉに対し、情報送受信部１１ｈによって受け取られた累積ポイントの情報を基に、表示部１４に表示されている表示金額の値引き処理を行わせることである。
【００３５】
図４は、ポイントサービス用端末１２の表示部１２ａに表示される内容について説明するための図である。なお、図４に示す内容は、読取装置１３によって読み取られたＩＣタグ５２のＩＣチップ５２ａからのアクセス情報（ＵＲＬ等）を基に、いずれかのメーカ側サーバ２０Ａ〜２０Ｃへのアクセスが行われることで表示されるＷｅｂページである。
【００３６】
まず、図４（ａ）は、ポイントサービスを利用する場合のフロントページであるポイントサービス利用開始ページ１６を示すものであり、”次へ”ボタン１６ａが設けられている。ここで、ポイントサービスを利用する場合は、”次へ”ボタン１６ａにタッチすると、図４（ｂ）に示すような認証番号選択ページ１７が表示される。
【００３７】
ここでは、ポイントサービスを初めて利用するユーザが認証番号を取得する選択欄１７ａと、選択した認証番号を確定する”確定”ボタン１７ｂとが設けられている。ポイントサービスを初めて利用するユーザは、選択欄１７ａからいずれかの認証番号をタッチして選択し、”確定”ボタン１７ｂをタッチすることで、選択した認証番号が確定され、図４（ｃ）に示すポイント決済ページ１８に移行することができるようになっている。
【００３８】
ここで、選択欄１７ａに表示される認証番号は、いずれも未使用のものであり、いずれかの認証番号が選択される毎に、その選択された認証番号が未使用の認証番号に置き換えられるようになっている。
【００３９】
また、認証番号選択ページ１７には、”登録済み”ボタン１７ｃが設けられており、既に認証番号を取得しているユーザは”登録済み”ボタン１７ｃをタッチすることで、図４（ｃ）に示すポイント決済ページ１８に移行することができるようになっている。
【００４０】
なお、認証番号については、個々のユーザに対して唯一であり、しかも各メーカ側サーバ２０Ａ〜２０Ｃ毎に共通となっている。すなわち、各メーカ側サーバ２０Ａ〜２０Ｃ毎にユーザに認証番号を与えることも考えられるが、本実施例のようにカードレスの場合では、ユーザに各メーカ側サーバ２０Ａ〜２０Ｃ毎に与えた認証番号を区別して覚えてもらうということは現実性がないためである。
【００４１】
また、認証番号については、個々のユーザに好みの番号等で登録してもらうことも可能であるが、各メーカ側サーバ２０Ａ〜２０Ｃ毎に個々のユーザが登録した番号等を共有することを考えると、あるユーザが登録した番号等が他のユーザで使用されているか否かをチェックする手段が別途必要となる。そのため、認証番号については、予め各メーカ側サーバ２０Ａ〜２０Ｃ毎に共有できる認証番号を用意しておいて、未使用の認証番号をユーザに選択してもらうようにすればシステムが簡素化される。
【００４２】
また、認証番号については、予め各メーカ側サーバ２０Ａ〜２０Ｃ毎に共有できる認証番号を用意しておいて、未使用の任意の認証番号をユーザに与えるようにしてもよい。また、このような認証番号の供与や共有は、各メーカ側サーバ２０Ａ〜２０Ｃの後述の認証番号管理部２２によって行われる。
【００４３】
図４（ｃ）に示すポイント決済ページ１８は、累積ポイントがある一定のポイント数に達した場合に、表示金額の値引き処理が行われるページであり、少なくとも認証番号を入力する認証番号入力欄１８ａと、現在の累積ポイントを表示し利用可能であることを示す利用可能表示欄１８ｂ、現在の累積ポイントを表示し利用不可能であることを示す利用不可能表示欄１８ｃと、内容の確認を受け付ける確認受付ボタン１８ｄとが設けられている。
【００４４】
ここでは、ポイント決済ページ１８の認証番号入力欄１８ａにユーザが認証番号を入力すると、利用可能表示欄１８ｂ又は利用不可能表示欄１８ｃに現在の累積ポイントが表示される。なお、認証番号入力欄１８ａへの認証番号の入力については、ポイント決済ページ１８にテンキー等が表示されるようにし、そのテンキー等をタッチすることで認証番号が入力されるようにしてもよい。
【００４５】
ここで、利用可能表示欄１８ｂに累積ポイントが表示されると、ポイント決済が可能であり、確認受付ボタン１８ｄがタッチされると、その累積ポイント情報がＰＯＳシステム１１側に渡される。そして、ＰＯＳシステム１１のポイント決済部１１ｉにより、その累積ポイントの情報を基に、表示部１４に表示されている表示金額の値引き処理が行われる。
【００４６】
また、利用不可能表示欄１８ｃに累積ポイントが表示されると、その累積ポイントがある一定のポイント数に達していないことになり、表示金額の値引き処理が行われないことになる。
【００４７】
図５は、メーカ側サーバ２０Ａ〜２０Ｃの内部構成を示す図である。なお、メーカ側サーバ２０Ａ〜２０Ｃの内部構成がほぼ共通しているため、以下では、メーカ側サーバ２０Ａを代表させて説明するものとする。
【００４８】
同図に示すように、メーカ側サーバ２０Ａは、アクセス受付部２１、認証番号管理部２２、認証番号確認部２３、ポイント情報更新記憶部２４、キャッシュバック情報取得部２５、制御部２６を備えている。
【００４９】
アクセス受付部２１は、上述したＰＯＳシステム１１のアクセス部１１ｃからのアクセス情報（ＵＲＬ等）を基にしたアクセスを受け付け、図４に示したＷｅｂページをポイントサービス用端末１２に表示させる。
【００５０】
認証番号管理部２２は、図４（ｂ）の認証番号選択ページ１７で選択される未使用の認証番号と、選択によって使用済みとなった認証番号とを管理するものである。なお、認証番号管理部２２における、未使用の認証番号と、選択によって使用済みとなった認証番号との管理内容は、各メーカ側サーバ２０Ａ〜２０Ｃの認証番号管理部２２において同一内容となっている。
【００５１】
この場合、たとえばメーカ側サーバ２０Ａの認証番号管理部２２での管理内容に変更が生じた場合、制御部２６によって他のメーカ側サーバ２０Ｂ〜２０Ｃに管理内容の変更がリアルタイムで通知されるようにすればよい。
【００５２】
認証番号確認部２３は、図４（ｃ）のポイント決済ページ１８で入力された認証番号が認証番号管理部２２で管理されているものか否かを確認する。これにより、キャッシュバック決済システムで用いられる番号であるか否かの確認を行うことができ、悪意によるポイントサービスの利用を排除できる。
【００５３】
ポイント情報更新記憶部２４は、商品５０に貼着されているＩＣタグ５２のＩＣチップ５２ａから読み取られる商品５０の価格情報に応じたポイントを、図４（ｃ）のポイント決済ページ１８で入力された認証番号及び上述した店舗情報に対応させて累積し、更新記録する。また、ポイント情報更新記憶部２４は、図４（ｃ）のポイント決済ページ１８で累積ポイントが使用された場合は、その使用されたポイント情報に応じて累積ポイントを減ずるように更新記録する。
【００５４】
キャッシュバック情報取得部２５は、図４（ｃ）のポイント決済ページ１８で累積ポイントが使用された場合、その使用されたポイント数に応じるキャッシュバック分をキャッシュバック情報として取得し、そのキャッシュバック情報を店舗情報に該当するいずれかの店舗側端末システム１０Ａ〜１０Ｃに与えるものである。
【００５５】
制御部２６は、所定の制御プログラムに基づいて各部の動作を制御する。制御部２６の主な制御としては、認証番号管理部２２に対し、図４（ｂ）の認証番号選択ページ１７で選択される未使用の認証番号と、選択によって使用済みとなった認証番号とを管理させることである。また、制御部２６の主な制御としては、認証番号確認部２３に対し、図４（ｃ）のポイント決済ページ１８で入力された認証番号が認証番号管理部２２で管理されているものか否かを確認させることである。
【００５６】
また、制御部２６の主な制御としては、ポイント情報更新記憶部２４に対し、商品５０に貼着されているＩＣタグ５２のＩＣチップ５２ａから読み取られる商品５０の価格情報に応じたポイントを、図４（ｃ）のポイント決済ページ１８で入力された認証番号及び上述した店舗情報に対応させて累積し、更新記録させ、また、図４（ｃ）のポイント決済ページ１８で累積ポイントが使用された場合は、その使用されたポイント情報に応じて累積ポイントを減ずるように更新記録させることである。
【００５７】
また、制御部２６の主な制御としては、キャッシュバック情報取得部２５に対し、図４（ｃ）のポイント決済ページ１８で累積ポイントが使用された場合、その使用されたポイント数に応じるキャッシュバック分をキャッシュバック情報として取得させ、そのキャッシュバック情報を店舗情報に該当するいずれかの店舗側端末システム１０Ａ〜１０Ｃに与えるようにすることである。
【００５８】
次に、キャッシュバック決済方法について説明する。まず、図６に示すように、いずれかの店舗Ａ〜Ｃでユーザが商品５０を購入すると（ステップＳ１）、いずれかの店舗Ａ〜Ｃのレジに設置されている店舗側端末システム１０Ａ〜１０ＣのＰＯＳシステム１１の読取装置１３により、商品５０のバーコード５１のコード情報と、ＩＣタグ５２のＩＣチップ５２ａに記憶されているキャッシュバック元情報とが読み取られる（ステップＳ２）。
【００５９】
ここで、バーコード５１のコード情報に基づいた、少なくとも商品名と価格とが表示部１４に表示される（ステップＳ３）。また、ＩＣタグ５２のＩＣチップ５２ａに記憶されているキャッシュバック元情報から、少なくとも商品５０の価格情報と、いずれかのメーカ側サーバ２０Ａ〜２０Ｃへのアクセス情報（ＵＲＬ等）と、店舗Ａ〜Ｃを識別するための店舗情報とが得られる（ステップＳ４）。
【００６０】
次いで、そのアクセス情報（ＵＲＬ等）がたとえばメーカ側サーバ２０Ａに該当する場合、ＰＯＳシステム１１のアクセス部１１ｃにより、メーカ側サーバ２０Ａへのアクセスが行われる（ステップＳ５）。このとき、メーカ側サーバ２０Ａのアクセス受付部２１によりアクセスが受け付けられことで、ポイントサービス用端末１２の表示部１２ａに、図４（ａ）に示したポイントサービス利用開始ページ１６が表示される（ステップＳ６）。
【００６１】
ここで、ユーザがポイントサービスを利用しない場合は、ＰＯＳシステム１１の表示部１４に表示されている商品５０の価格での決済が行われる（ステップＳ７，Ｓ８）。
【００６２】
これに対し、ポイントサービスを利用する場合、ユーザによりポイントサービス用端末１２の表示部１２ａに表示される図４（ａ）のポイントサービス利用開始ページ１６の”次へ”ボタン１６ａがタッチされると、図４（ｂ）の認証番号選択ページ１７が表示される（ステップＳ７，Ｓ９）。
【００６３】
ここで、ユーザが認証番号を取得していない場合は、認証番号選択ページ１７の選択欄１７ａからからいずれかの認証番号をタッチして選択し（ステップＳ１０）、”確定”ボタン１７ｂをタッチして選択した認証番号を確定する。これにより、ポイントサービスを利用する場合の認証番号の取得が完了する（ステップＳ１１）。
【００６４】
このとき、図４（ｂ）の認証番号選択ページ１７がメーカ側サーバ２０Ａへのアクセスに応じて表示されているものとすると、メーカ側サーバ２０Ａの認証番号管理部２２により、認証番号選択ページ１７で選択された認証番号を使用済みとして管理される。またこのとき、たとえばメーカ側サーバ２０Ａの認証番号管理部２２での管理内容に変更が生じることで、メーカ側サーバ２０Ａの制御部２６により、他のメーカ側サーバ２０Ｂ〜２０Ｃに管理内容の変更がリアルタイムで通知される。これにより、各メーカ側サーバ２０Ａ〜２０Ｃでは、各認証番号管理部２２での未使用の認証番号と、選択によって使用済みとなった認証番号との管理内容が同じものとされる。
【００６５】
次いで、図７に示すように、ユーザが既に認証番号を取得している場合は、図４（ｂ）の認証番号選択ページ１７の”登録済み”ボタン１７ｃをタッチすると、図４（ｃ）のポイント決済ページ１８が表示される（ステップＳ１２）。
【００６６】
次いで、そのポイント決済ページ１８の認証番号入力欄１８ａに既に取得している認証番号を入力すると（ステップＳ１３）、たとえばメーカ側サーバ２０Ａの認証番号確認部２３により、ポイント決済ページ１８で入力された認証番号が認証番号管理部２２で管理されているものか否かが確認される（ステップＳ１４）。
【００６７】
ここで、認証番号が認証番号管理部２２で管理されているものでない場合、制御部２６により、図４（ｃ）のポイント決済ページ１８にたとえば”認証番号が間違っています”といった内容が表示されるようにし、ユーザに再度、認証番号の入力を促すようにしてもよい。
【００６８】
これに対し、認証番号が認証番号管理部２２で管理されているものである場合、制御部２６により、ポイント情報更新記憶部２４から認証番号に対応した現在の累積ポイントの情報が読み出される（ステップＳ１５）。
【００６９】
そして、読み出された累積ポイントがある一定のポイント数に達しているが否かが判断され（ステップＳ１６）、一定のポイント数に達していない場合は、図４（ｃ）のポイント決済ページ１８の利用不可能表示欄１８ｃに現在の累積ポイントが表示される（ステップＳ１７）。
【００７０】
ここで、利用不可能表示欄１８ｃに現在の累積ポイントが表示された場合は、ＰＯＳシステム１１の表示部１４に表示されている商品５０の価格での決済が行われる（ステップＳ１８）。このとき、メーカ側サーバ２０Ａの制御部２６によりポイント情報更新記憶部２４が制御され、商品５０の決済に応じてその商品の価格情報に応じたポイントが、図４（ｃ）のポイント決済ページ１８で入力された認証番号及び上述した店舗情報に対応させて累積し、更新記録される（ステップＳ１９）。
【００７１】
これに対し、読み出された累積ポイントがある一定のポイント数に達している場合は、利用可能表示欄１８ｂに現在の累積ポイントが表示される（ステップＳ２０）。ここで、ポイント決済ページ１８の確認受付ボタン１８ｄがタッチされると、その累積ポイント情報がＰＯＳシステム１１側に渡される（ステップＳ２１）。そして、ＰＯＳシステム１１のポイント決済部１１ｉにより、その累積ポイントの情報を基に、表示部１４に表示されている表示金額の値引き処理が行われる（ステップＳ２２）。
【００７２】
このとき、図８に示すように、メーカ側サーバ２０Ａの制御部２６によりポイント情報更新記憶部２４が制御され、図４（ｃ）のポイント決済ページ１８で使用されたポイントに応じて累積ポイントを減ずるように更新記録される（ステップＳ２３）。
【００７３】
また、メーカ側サーバ２０Ａの制御部２６によりキャッシュバック情報取得部２５が制御され、図４（ｃ）のポイント決済ページ１８で累積ポイントが使用された場合、その使用されたポイント数に応じるキャッシュバック分がキャッシュバック情報として取得される（ステップＳ２４）。
【００７４】
このキャッシュバック情報は、一定期間毎にメーカ側サーバ２０Ａから店舗情報に該当するいずれかの店舗側端末システム１０Ａ〜１０Ｃにインターネット４０を介して送信されるようにしてもよいし、店舗側端末システム１０Ａ〜１０Ｃ側からの要求に応じて送信されるようにしてもよい。
【００７５】
キャッシュバック情報を受け取ったいずれかの店舗側端末システム１０Ａ〜１０Ｃでは、いずれかのＰＯＳシステム１１のキャッシュバック決済処理部１１ｊにより、インターネットバンクサーバ３０でのキャッシュバック情報に応じたキャッシュバック分の決済処理が行われる（ステップＳ２５）。
【００７６】
このように、本実施例では、商品購入者であるユーザによる店舗側端末システム１０Ａ〜１０Ｃのポイントサービス用端末１２への認証番号の入力に基づき、商品５０の購入に応じたポイントの累積、又は累積ポイントの利用が行われるようにしたので、ポイント情報等が記憶されるポイントカードを用いない、カードレスでのポイントサービスを実現することができる。
【００７７】
また、商品５０の販売毎に、商品５０に付された記録媒体としてのＩＣタグ５２に記録されているキャッシュバック元情報のアクセス情報に基づき、いずれかのメーカ側サーバ２０Ａ〜２０Ｃへのアクセスが行われ、少なくとも商品５０の価格情報と店舗情報とがいずれかのメーカ側サーバ２０Ａ〜２０Ｃで管理されるため、店舗Ａ〜Ｃ側では、キャッシュバックキャンペーン等において、たとえばメーカからの利用ポイント数に応じたキャッシュバック分を受け取る場合のメーカへの報告等の作業が不要となり、商品販売に関わる作業が増えてしまうということを防止することができる。
【００７８】
なお、本実施例では、個々のユーザを認証するために、認証番号を用いた場合について説明したが、たとえばユーザが携帯している携帯電話の個人情報も併せてメーカ側サーバ２０Ａ〜２０Ｃに登録しておき、ポイントサービス用端末１２への認証番号の入力に併せて、ポイントサービス用端末１２により携帯電話の個人情報も読み取られるようにしてもよく、この場合には第三者の累積ポイントの悪用が防止され、セキュリティの向上を図ることができる。
【００７９】
なお、本実施例では、キャッシュバック元情報を記憶するものとしてＩＣタグ５２を用いた場合について説明したが、この例に限らず、二次元コードとしてもよい。
【図面の簡単な説明】
【００８０】
【図１】本発明のキャッシュバック決済システムの一実施例を示す図である。
【図２】図１のキャッシュバック決済システムにおける商品について説明するための図である。
【図３】図１のＰＯＳシステムの内部構成を説明するための図である。
【図４】図１のポイントサービス用端末の表示部に表示される内容について説明するための図である。
【図５】図１のメーカ側サーバの内部構成を示す図である。
【図６】図１のキャッシュバック決済システムにおけるキャッシュバック決済方法を説明するためのフローチャートである。
【図７】図１のキャッシュバック決済システムにおけるキャッシュバック決済方法を説明するためのフローチャートである。
【図８】図１のキャッシュバック決済システムにおけるキャッシュバック決済方法を説明するためのフローチャートである。
【符号の説明】
【００８１】
１０Ａ〜１０Ｃ  店舗側端末システム
１１  ＰＯＳシステム
１１ａ  読取駆動部
１１ｂ  読取情報処理部
１１ｃ  アクセス部
１１ｄ  ＲＯＭ
１１ｅ  ＲＡＭ
１１ｆ  スピーカ駆動部
１１ｇ  表示駆動部
１１ｈ  情報送受信部
１１ｉ  ポイント決済部（ポイント決済手段）
１１ｊ  キャッシュバック決済処理部（キャッシュバック決済処理手段）
１２  ポイントサービス用端末
１２ａ  表示部
１３  読取装置
１４  表示部
１５  スピーカ
１６  ポイントサービス利用開始ページ
１７  認証番号選択ページ
１８  ポイント決済ページ
２０Ａ  メーカ側サーバ
２０Ａ〜２０Ｃ  メーカ側サーバ
２１  アクセス受付部（アクセス受付手段）
２２  認証番号管理部（認証番号管理手段）
２３  認証番号確認部（認証番号確認手段）
２４  ポイント情報更新記憶部（記憶手段）
２５  キャッシュバック情報取得部
２６  制御部
３０  インターネットバンクサーバ（バンクサーバ）
４０  インターネット
５０  商品
５１  バーコード
５２  ＩＣタグ
５２ａ  ＩＣチップ
【図１】
2007299177.tif 000003
【図２】
2007299177.tif 000004
【図３】
2007299177.tif 000005
【図４】
2007299177.tif 000006
【図５】
2007299177.tif 000007
【図６】
2007299177.tif 000008
【図７】
2007299177.tif 000009
【図８】
2007299177.tif 000010